(57)【要約】【課題】自分の顔を瞬時に別人の顔に変えてみせるにおいて、観衆の興趣をより一層高めることができる小道具を提供することを目的とする。【解決手段】プルオーバー型の上衣１０の前身頃裏地１１Ｂに人物、動物及びキャラクターのうちのいずれかの顔をかたどった絵又は写真から成る正面像２１が上衣１０の上下方向に対して倒立状態で設けられ、前身頃表地１１Ａには、正面像２１が有する目２１Ｅの位置を示す目印Ｍｋが設けられる。【選択図】図４
2018035483.tif 000002
【特許請求の範囲】
【請求項１】
プルオーバー型の上衣の前身頃の裏地に人物、動物及びキャラクターのうちのいずれかの顔をかたどった像が前記上衣の上下方向に対して倒立状態で設けられ、前記前身頃の表地に、前記像が有する目の位置を示す目印が設けられたことを特徴とする小道具。
【請求項２】
前記像は絵又は写真から成ることを特徴とする請求項１に記載の小道具。
【請求項３】
前記上衣がＴシャツ、トレーナー、スウェット及びセーターのうちのいずれかであることを特徴とする請求項１又は２に記載の小道具。
【発明の詳細な説明】
【技術分野】
【０００１】
本発明は、瞬時に顔を別人の顔に変化させて観衆を笑わせ或いは驚かせる小道具に関する。
【背景技術】
【０００２】
観衆に対して芸を行う者等が、自分の顔を瞬時に別人の顔等に変えることで観衆を笑わせ或いは驚かせる芸を披露する場合がある。この場合には、従来、他人の顔等をかたどった絵や写真等から作成したお面（例えば、特許文献１）を用意しておき、これを予め手に持っていたり近くにおいておいたりして、必要なときに取り出すようにしていた。
【先行技術文献】
【特許文献】
【０００３】
【特許文献１】特開２００５−１３９５９３号公報
【発明の概要】
【発明が解決しようとする課題】
【０００４】
しかしながら、上記お面のような小道具を手にすることなく顔を変化させることができれば、観衆に更に意外性を感じさせて、より一層興趣を高めることができる。
【０００５】
そこで本発明は、自分の顔を瞬時に別人の顔に変えてみせるにおいて、観衆の興趣をより一層高めることができる小道具を提供することを目的とする。
【課題を解決するための手段】
【０００６】
本発明の小道具では、プルオーバー型の上衣の前身頃の裏地に人物、動物及びキャラクターのうちのいずれかの顔をかたどった像が前記上衣の上下方向に対して倒立状態で設けられ、前記前身頃の表地に、前記像が有する目の位置を示す目印が設けられた。
【発明の効果】
【０００７】
本発明によれば、自分の顔を瞬時に別人の顔に変えてみせるにおいて、観衆の興趣をより一層高めることができる。
【図面の簡単な説明】
【０００８】
【図１】本発明の一実施の形態における小道具の正面図
【図２】本発明の一実施の形態における小道具の上衣の前身頃を（ａ）表地側から見た図（ｂ）裏地側から見た図
【図３】本発明の一実施の形態における小道具を使用者が着用している状態の正面図
【図４】本発明の一実施の形態における小道具の使用状態を示す正面図
【図５】本発明の一実施の形態における小道具の背面図
【図６】本発明の一実施の形態における小道具を使用者が着用している状態の背面図
【図７】本発明の一実施の形態における小道具の使用状態を示す背面図
【発明を実施するための形態】
【０００９】
以下、図面を参照して本発明の実施の形態について説明する。図１は本発明の一実施の形態における小道具１を示している。小道具１は、人が通常において着用するプルオーバー型（いわゆるかぶり型）の上衣１０をベースとしている。上衣１０は前身頃１１、後身頃１２、襟部１３等を有していればよいが、更に左右の長袖部１４，１４を備えた長袖型の上衣であってもよい。本実施の形態では、上衣１０が長袖型の上衣の一例であるトレーナーであるとして説明する。
【００１０】
図１及び図２（ａ），（ｂ）において、小道具１は、上衣１０の前身頃１１の裏地（前身頃裏地１１Ｂと称する）に、人物の顔の正面の像（正面像２１と称する）を上衣１０の上下方向に対して倒立状態で備えている。ここで、図２（ｂ）は、上衣１０の前身頃１１を裏地（前身頃裏地１１Ｂ側）から見た図であり、表裏をそっくり裏返した上衣１０の前身頃１１を正面から見た図に相当する。
【００１１】
正面像２１は絵や写真等から成るものとし、上衣１０の前身頃裏地１１Ｂに直接描かれ、貼り付けられ、プリントされ、或いは縫い付けられている。正面像２１を描き、貼り付け、プリントし、或いは縫い付けた布地等が前身頃裏地１１Ｂに貼り付けられ、縫い付けられたりしているのであってもよい。正面像２１が設けられる具体的な位置としては、例えば、前身頃裏地１１Ｂのうち、上衣１０に形成された左右の腕を通すための孔の下端、すなわち、上衣１０の左右の袖ぐりの下端１４Ｇ同士を結ぶラインＬを上衣１０の上下に跨ぐ（跨いで広がった）位置とする（図１）。
【００１２】
図１において、上衣１０の前身頃１１の表地（前身頃表地１１Ａと称する）には、正面像２１が有する左右の目２１Ｅの位置を示す目印Ｍｋが設けられている。ここでは図１に示すように、目印Ｍｋとして複数の星が横一列に並んで描かれており、この星の横一列の並びが、正面像２１が有する左右の目２１Ｅの並びの位置を表すものとなっている（図２（ａ），（ｂ））。目印Ｍｋは、前身頃表地１１Ａの、正面像２１が有する左右の目２１Ｅの並びの位置と合致した位置に設けられていることが好ましいが、目印Ｍｋは正面像２１が有する目２１Ｅの位置が分かればよく、必ずしも左右の目２１Ｅの並びの位置に正確に合致するように設けられていなくてもよい。
【００１３】
図３に示すように、小道具１を使用する者（以下、使用者３０と称する）は、上衣１０の襟部１３に頭部３１及び頸部３２を通すとともに左右の長袖部１４，１４に左右の腕３３，３３を通すことによって、上衣１０を着用する。使用者３０が上衣１０を着用すると、使用者３０の胴部３４の前方に前身頃１１が位置し、胴部３４の後方に後身頃１２が位置する。そして、この状態から、使用者３０が左右の手３５，３５で前身頃１１の裾部１１ｓをつかみ、そのうえで、前身頃表地１１Ａに設けられた目印Ｍｋを自分の目に合わせるように裾部１１ｓを勢いよく引き上げて左右の腋３６，３６を露出させるようにすると（図４）、前身頃１１と後身頃１２はそれぞれ裏返って、使用者３０の頭部３１が上衣１０により覆われるとともに、胴部３４が露出した状態となる。この一連の動作は、人が通常、着用していた上衣を脱ぐ際の動作と同じである。
【００１４】
上記のように、使用者３０が上衣１０の裾部１１ｓを引き上げて左右の腋３６，３６が露出し、前身頃１１及び後身頃１２がそれぞれ裏返ると、前身頃裏地１１Ｂに備えられた正面像２１が、使用者３０の頭部３１の前方の位置（使用者３０の顔の前）に、使用者３０から見た正立状態で現れる（図４）。このため、使用者３０が上記一連の動作を行うと、使用者３０の顔が瞬時に別人の顔に変化したように見え、観衆は面白味や驚きを感じて興趣を覚える。
【００１５】
ここで、上衣１０は、通常において人が身に着けるものであるから、これを着て観衆の前に現れても不自然でないうえ、使用者３０が上衣１０を脱ぐ動作を始めたとしても、観衆はその行為が顔を他人の顔に変えてみせる行為とは思わない。このため、観衆は意表をつかれ、意外性を感じて、より興趣を覚える。
【００１６】
上記の一連の動作において、使用者３０からすれば前身頃裏地１１Ｂに設けられた正面像２１は一切見えないのであるが、使用者３０から見ることのできる前身頃表地１１Ａには、正面像２１が有する目２１Ｅの位置を示す目印Ｍｋが設けられているので、使用者３０は目印Ｍｋを自分の目に当てる感覚で裾部１１ｓを引き上げることで、正面像２１を自分の胴部３４に対する自然な位置（使用者３０の顔と置き換わった位置）に位置させることができる。
【００１７】
また、本実施の形態における小道具１では、更に、図５及び図６に示すように、後身頃１２の裏地（後身頃裏地１２Ｂと称する）に、正面像２１に描かれた人物の後頭部をかたどった絵又は写真から成る像（背面像２２と称する）が上衣１０の上下方向に対して倒立状態で設けられていてもよい。具体的には、背面像２２は、正面像２１の位置に対応させて、上衣１０の左右の袖ぐりの下端１４Ｇ同士を結ぶラインＬを上衣１０の上下に跨ぐ位置に設けられるようにする（図５）。
【００１８】
このようにすれば、使用者３０が裾部１１ｓを引き上げて左右の腋３６，３６を露出させると（図７）、前身頃１１が使用者３０の頭部３１の前方に位置するとともに後身頃１２が使用者３０の頭部３１の後方に位置し、後身頃裏地１２Ｂに備えらえた背面像２２が、使用者３０の頭部３１の後方に、使用者３０から見た正立状態で現れる。この状態では、使用者３０の前方に正面像２１が現れるとともに、頭部３１の後方に背面像２２が現れるので、使用者３０が正面側だけでなく背面側も観衆に見せれば、観衆の興趣は更に高められる。
【００１９】
以上説明したように、本実施の形態における小道具１では、プルオーバー型の上衣１０の前身頃裏地１１Ｂに人物の顔をかたどった絵又は写真から成る正面像２１が上衣１０の上下方向に対して倒立状態で設けられるとともに、前身頃表地１１Ａに、正面像２１が有する目２１Ｅの位置を示す目印Ｍｋが設けられており、使用者３０が、目印Ｍｋを自分の目に合わせるように裾部１１ｓを引き上げて左右の腋３６，３６を露出させる動作（上衣１０を脱ぐ動作）を行うと、上衣１０の前身頃１１が裏返った状態で使用者３０の頭部３１の前方に位置し、使用者３０の顔の前に、使用者３０とは別人の顔等の正面像２１が現れる。このため観衆は、使用者３０の顔が突然他人の顔に変化したことに対して興趣を覚えるうえ、上衣１０を脱ぐという行為から顔の変化が生じることにも意外性を感じて更なる興趣を覚える。このように本実施の形態における小道具１によれば、自分の顔を瞬時に別人の顔に変えてみせるにおいて、観衆の興趣をより一層高めることができる。
【００２０】
これまで本発明の実施の形態を説明してきたが、本発明の範囲は上述の実施の形態に示したものに限定されない。例えば、上述の実施の形態では、上衣１０がトレーナーであるとして説明したが、上衣１０はプルオーバー型の上衣であればよい。従って、長袖部１４，１４を有する他の上衣１０、例えばスウェットやセーター等であってもよいし、長袖部１４，１４の代わりに半袖部を有したＴシャツや、袖のないタンクトップシャツ等であってもよい。但し、使用者３０が上衣１０を着用した状態において、上衣１０の裏地側に何か（ここでは正面像２１や背面像２２）が備えられていることが観衆から見えることは好ましくないため、上衣１０には裏側が透けて見えない生地のものを採用するようにする。或いは上衣１０の表地に別途布地等を縫い付けておいたり（この場合は布地等の表面に目印Ｍｋを設けるようにする）、正面像２１や背面像２２とは全く無関係の図柄や写真等をプリントしておいたりしてもよい。
【００２１】
また、上述の実施の形態では、正面像２１に描かれるのは人物の顔であるとしていたが、その他、動物やキャラクター等の顔とすることもできる。すなわち小道具１は、プルオーバー型の上衣１０の前身頃裏地１１Ｂに、人物、動物及びキャラクターのうちのいずれかの顔をかたどった像（正面像２１）が上衣１０の上下方向に対して倒立状態で設けられていればよい。
【００２２】
また、上述の実施の形態では、上衣１０の前身頃裏地１１Ｂ（及び後身頃裏地１２Ｂ）のうち左右の袖ぐりの下端１４Ｇ同士を結ぶラインＬを跨ぐ位置に正面像２１（及び背面像２２）が設けられるようになっていたが、正面像２１は前身頃裏地１１Ｂに（背面像２２は後身頃裏地１２Ｂに）設けられていればよく、その位置は特に限定されない。
【００２３】
また、上述の実施の形態では、目印Ｍｋとして複数の星が横一列に並んだデザインとなっていたが、これは一例に過ぎない。すなわち、目印Ｍｋの星の数は幾つでもよく、更には星でなくてもよく、他の図形や文字当であっても構わない。横方向延びた直線や枠の図形等であってもよい。目印Ｍｋは前身頃１１を前身頃表地側から見たときにデザイン感があるものであってもよいし、さりげなく配置されていて特にデザイン感を感じさせないものであってもよい。
【００２４】
なお、本発明における上衣の表地及び裏地は相対的なものである。よって、本発明の小道具を販売するとき等において、人物、動物及びキャラクターのうちのいずれかの顔をかたどった像が表地に設けられていたとしても、その上衣の裏表を反転させたときに、その像が、上衣の前身頃の裏地に設けられた状態となるのであれば、その小道具は本発明の範囲に含まれる。
【００２５】
また、本発明の小道具は見掛け上、Ｔシャツ、トレーナー、スウェット及びセーター等の上衣にも見え、また実際、そのような上衣として使用することが可能である。よって、本発明の小道具をＴシャツ、トレーナー、スウェット及びセーター等の上衣として販売したとしても、本発明の構成を備えているものは、本発明の範囲に含まれる。
【産業上の利用可能性】
【００２６】
自分の顔を瞬時に別人の顔に変えてみせるにおいて、観衆の興趣をより一層高めることができる小道具を提供する。
【符号の説明】
【００２７】
１  小道具
１０  上衣
１１  前身頃
１１Ａ  前身頃表地（表地）
１１Ｂ  前身頃裏地（裏地）
２１  正面像（像）
２１Ｅ  目
Ｍｋ  目印
【図１】
2018035483.tif 000003
【図２】
2018035483.tif 000004
【図３】
2018035483.tif 000005
【図４】
2018035483.tif 000006
【図５】
2018035483.tif 000007
【図６】
2018035483.tif 000008
【図７】
2018035483.tif 000009
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
プルオーバー型の上衣の前身頃の裏地に人物の顔をかたどった像が前記上衣の上下方向に対して倒立状態で設けられ、前記前身頃の表地に、前記像が有する目の位置を示す目印が設けられ、
前記目印は前記像の目の並び方向に延びており、前記目印の両端はそれぞれ前記像の輪郭と対応する位置にあることを特徴とする小道具。
【請求項２】
前記像は絵又は写真から成ることを特徴とする請求項１に記載の小道具。
【請求項３】
前記上衣がＴシャツ、トレーナー、スウェット及びセーターのうちのいずれかであることを特徴とする請求項１又は２に記載の小道具。
【手続補正２】
【補正対象書類名】明細書
【補正対象項目名】０００６
【補正方法】変更
【補正の内容】
【０００６】
本発明の小道具では、プルオーバー型の上衣の前身頃の裏地に人物の顔をかたどった像が前記上衣の上下方向に対して倒立状態で設けられ、前記前身頃の表地に、前記像が有する目の位置を示す目印が設けられ、前記目印は前記像の目の並び方向に延びており、前記目印の両端はそれぞれ前記像の輪郭と対応する位置にある。
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
プルオーバー型の上衣の前身頃の裏地に人物の顔をかたどった像が前記上衣の上下方向に対して倒立状態で設けられ、前記前身頃の表地に、前記像が有する目の位置を示す目印が設けられ、
前記目印は前記像の目の並び方向に延び、且つ前記像の目の並びの位置と合致した位置に設けられており、前記目印の両端はそれぞれ前記像の輪郭と対応する位置にあることを特徴とする小道具。
【請求項２】
前記像は絵又は写真から成ることを特徴とする請求項１に記載の小道具。
【請求項３】
前記上衣がＴシャツ、トレーナー、スウェット及びセーターのうちのいずれかであることを特徴とする請求項１又は２に記載の小道具。
【手続補正２】
【補正対象書類名】明細書
【補正対象項目名】０００６
【補正方法】変更
【補正の内容】
【０００６】
本発明の小道具では、プルオーバー型の上衣の前身頃の裏地に人物の顔をかたどった像が前記上衣の上下方向に対して倒立状態で設けられ、前記前身頃の表地に、前記像が有する目の位置を示す目印が設けられ、前記目印は前記像の目の並び方向に延び、且つ前記像の目の並びの位置と合致した位置に設けられており、前記目印の両端はそれぞれ前記像の輪郭と対応する位置にある。